(57)【要約】【課題】  通常のスタンドは平板状であり、安定性を得るために横幅が広く形成されていて全体的にコンパクトでない。いくらかコンパクトにするために底部に収納された粉砕容器は使用状態である縦置きでなく横置きで収納されているから、粉砕容器が取り出しずらいのである。そこで本発明は、加工具や粉砕容器の収納部を備えていて全体的にコンパクトであり、しかも粉砕容器を縦置きで収納できるスタンドを提供することを目的とする。【解決手段】  ハンドミキサーを後傾させ且つ浮かせた状態で保持する保持構造を有する保持部と、この保持部の下方の中間部と、この中間部の下方の基部とを含んで成り、中間部及び基部の正面はそれらの正面中央から両側に行くに従って表面が後退する凸表面に形成され、保持されたハンドミキサーが中間部の凸表面の前方を通り前記基部の凸表面の前方まで延びている。【選択図】  図２
2005052513.tif 000002
【特許請求の範囲】
【請求項１】
ハンドミキサーを正面に保持するハンドミキサーのスタンドであって、ハンドミキサーは、把持部を有する本体内にモータが内蔵され、該モータによって駆動される少なくとも１つの回転軸を有し、該回転軸は前記本体に回転可能に軸受けされているか又はこの本体に結合された外筒体に軸受けされていて、回転軸の端部に食品を加工するための加工具が装着されるものであって、このハンドミキサーを後傾させ且つ浮かせた状態で保持する保持構造を有する保持部と、この保持部の下方の中間部と、この中間部の下方の基部とを含んで成り、中間部及び基部の正面はそれらの正面中央から両側に行くに従って表面が後退する凸表面に形成され、保持されたハンドミキサーが中間部の凸表面の前方を通り前記基部の凸表面の前方まで延びるスタンド
【請求項２】
基部に附属品等の収納部が設けられている請求項１記載のスタンド
【請求項３】
収納部は円形である請求項２記載のスタンド
【請求項４】
附属品である粉砕容器を収納部に収納したときに、粉砕容器の下方に他の附属品を収納し得る空間が存在している請求項１乃至請求項３記載のスタンド
【請求項５】
粉砕容器の下方に存在する空間は円形である請求項４記載のスタンド
【請求項６】
収納部の内側面の周方向に沿って、附属品である円形の粉砕容器をその底部から支持する支持部が設けられている請求項２乃至請求項５記載のスタンド
【請求項７】
粉砕容器を収納部に収納可能にするスペースが中間部の凸表面の内側に存在する請求項４乃至請求項６記載のスタンド
【請求項８】
基部は円形であり、収納部は該基部と同心円の円形であり、したがって基部と収納部及び該収納部に収納された粉砕容器がすべて同心円の円形である請求項４乃至請求項７記載のスタンド
【請求項９】
中間部の凸表面と基部の凸表面は同一の曲率で屈曲して一体に連続し、中間部はスタンドの前半分の半周に亘って板状に延在している請求項４乃至請求項８記載のスタンド
【請求項１０】
回転軸が本体に結合された外筒体に軸受けされているハンドミキサーを保持するためのスタンドであって、保持部の正面に、中間部上端から一体に連なる後傾斜面が形成され、この後傾斜面にハンドミキサー本体を保持する保持凹部が設けられ、この保持凹部の下端にストッパーが設けられており、さらにストッパーの下方に外筒体保持凹部が設けられている請求項１乃至請求項９記載のスタンド
【請求項１１】
保持凹部がハンドミキサー本体の下半分の半周面に亘って当接する請求項１乃至請求項１０記載のスタンド
【請求項１２】
保持部の横方向の幅は中間部の横方向の幅以下である請求項１乃至請求項１１記載のスタンド
【請求項１３】
本体における長さ方向に垂直な断面が楕円形等の非真円形であるハンドミキサーを保持するためのスタンドであって、本体を保持凹部に対して正規の位置関係で保持したときに、本体が保持凹部の内面と密接するようにその内面が形成されている請求項１乃至請求項１２記載のスタンド
【請求項１４】
基部の下側に台座を有し、スタンドは台座に対して回動可能に連結されている請求項１乃至請求項１３記載のスタンド
【請求項１５】
基部は円形であってその下端に基部フランジを有し、台座も円形であって基部フランジと同じ直径である請求項１４記載のスタンド
【発明の詳細な説明】
【技術分野】
【０００１】
本発明は、一般家庭で使用されるハンドミキサーのスタンドに関する。
【背景技術】
【０００２】
従来のハンドミキサーのスタンドは、円筒状の容器の上に蓋を装着し、蓋に設けられた嵌合孔からハンドミキサーの軸部を挿入し、嵌合孔の縁でハンドミキサーの本体の下部を支持する構成である（例えば、特許文献１参照。）。また、特許文献を発見することができなかったが、スタンドを斜めの平板状に形成し、ハンドミキサーの本体を抱くように保持する保持凹部を平板状スタンドに形成し、ハンドミキサーを斜めの状態で支持するスタンドも存在している。
【特許文献１】実用新案登録第３０８４９８６号公報
【発明の開示】
【発明が解決しようとする課題】
【０００３】
通常、ハンドミキサーの先端には食品等を粉砕又は攪拌するためのいくつかの種類の加工具を着脱自在に取り付けるので、それらの加工具を収納する場所がスタンドに設けられていれば便利である。また、例えば茶葉などを粉末状に粉砕するときに粉砕専用の粉砕容器が用いられるが、その粉砕容器も加工具と同様に収納できれば便利である。また、それらの収納部を設けたときにスタンド全体がコンパクトであれば、台所等で使用するときに便利である。上記特許文献に示されたスタンドは比較的コンパクトであるが、加工具や粉砕容器を収納する場所がない。また、前述した平板状のスタンドは安定性を得るために横幅が広く形成されていて全体的にコンパクトでない。いくらかコンパクトにするために底部に収納された粉砕容器は使用状態である縦置きでなく横置きで収納されているから、粉砕容器が取り出しずらいのである。そこで本発明は、加工具や粉砕容器の収納部を備えていて全体的にコンパクトであり、しかも粉砕容器を縦置きで収納できるスタンドを提供することを目的とする。
【課題を解決するための手段】
【０００４】
本発明の請求項１は、ハンドミキサーを後傾させ且つ浮かせた状態で保持する保持構造を有する保持部と、この保持部の下方の中間部と、この中間部の下方の基部とを含んで成り、中間部及び基部の正面はそれらの正面中央から両側に行くに従って表面が後退する凸表面に形成され、保持されたハンドミキサーが中間部の凸表面の前方を通り前記基部の凸表面の前方まで延びる構成である。請求項２は、その基部に附属品等の収納部が設けられている構成であり、請求項３は、その収納部が円形である構成である。
【０００５】
請求項４は、附属品である粉砕容器を収納部に収納したときに、粉砕容器の下方に他の附属品を収納し得る空間が存在している要素が請求項１乃至請求項３に限定的に付加された構成であり、請求項５は、その粉砕容器の下方に存在する空間は円形である構成である。
【０００６】
請求項６は、収納部の内側面の周方向に沿って、附属品である円形の粉砕容器をその底面から支持する支持部が設けられている要素が請求項２乃至請求項５に限定的に付加された構成であり、請求項７は、粉砕容器を収納部に収納可能にするスペースが中間部の凸表面の内側に存在する要素が請求項４乃至請求項６に限定的に付加された構成である。
【０００７】
請求項８は、基部が円形であり、収納部はその基部と同心円の円形であり、したがって基部と収納部及びその収納部に収納された粉砕容器がすべて同心円の円形である要素が請求項４乃至請求項７に限定的に付加された構成であり、請求項９は、中間部の凸表面と基部の凸表面は同一の曲率で屈曲して一体に連続し、中間部はスタンドの前半分の半周に亘って板状に延在している要素が請求項４乃至請求項８に限定的に付加された構成である。
【０００８】
請求項１０は、回転軸が本体に結合された外筒体に軸受けされているハンドミキサーを保持するためのスタンドであって、保持部の正面に、中間部上端から一体に連なる後傾斜面が形成され、この後傾斜面にハンドミキサー本体を保持する保持凹部が設けられ、この保持凹部の下端にストッパーが設けられており、さらにストッパーの下方に外筒体保持凹部が設けられている構成である。請求項１１は、その保持凹部がハンドミキサー本体の下半分の半周面に亘って当接する構成である。
【０００９】
請求項１２は、保持部の横方向の幅が中間部の横方向の幅以下である構成である。請求項１３は、本体における長さ方向に垂直な断面が楕円形等の非真円形であるハンドミキサーを保持するためのスタンドであって、本体を保持凹部に対して正規の位置関係で保持したときに、本体が保持凹部の内面と密接するようにその内面が形成されている構成である。
【００１０】
請求項１４は、基部の下側に台座を有し、スタンドが台座に対して回動可能に連結されている構成であり、請求項１５は、その基部が円形であってその下端にフランジを有し、台座も円形であってフランジと同じ直径である構成である。
【発明の効果】
【００１１】
請求項１は、スタンドの中間部及び基部の正面はそれらの正面中央から両側に行くに従って表面が後退する凸表面に形成され、保持されたハンドミキサーが中間部の凸表面の前方を通り前記基部の凸表面の前方まで延びる構成である。ハンドミキサーは外筒体よりも本体の方が圧倒的に重い。したがって、保持されたハンドミキサーの重心は中間部及び基部の中央正面よりも後方にあって、それら中間部及び基部の正面は凸表面であるから、重心は中間部及び基部の表面で囲われた内部に存在することになり、ハンドミキサーを安定的に保持できる。請求項２は、基部に附属品等の収納部が設けられているから使用するにあたって便利である。請求項３は、その収納部が円形である構成であるから、円形の粉砕容器を使用状態である縦置きすることができる。
【００１２】
請求項４は、附属品である粉砕容器を収納部に収納したときに、粉砕容器の下方に他の附属品を収納し得る空間が存在している。したがって、粉砕容器と他の附属品を同じ区域に重ねて収納できるからスタンドをコンパクトにすることができる。請求項５は、粉砕容器の下方に存在する空間が円形である。したがって、粉砕容器と同じ平面の広さの空間を得ることができるから広い収納部となる。
請求項６は、収納部の内側面の周方向に沿って、附属品である円形の粉砕容器をその底部から支持する支持部が設けられている。したがって、粉砕容器を使用状態である縦置きに収納したときに非常に安定する。
【００１３】
請求項７は、粉砕容器を収納部に収納可能にするスペースが中間部の凸表面の内側に存在する。したがって、粉砕容器は中間部の凸表面のなす空間に入り込んで収納されるから、スタンド全体をコンパクトにすることができる。請求項８は、基部が円形であり、収納部は基部と同心円の円形であり、したがって基部と収納部及びその収納部に収納された粉砕容器がすべて同心円の円形である。したがって、基部と収納部と粉砕容器が一つの円筒内に納まることになるので、全体的にコンパクトにできると共にスタンドが安定する。請求項９は、中間部の凸表面と基部の凸表面は同一の曲率で屈曲して一体に連続し、中間部はスタンドの前半分の半周に亘って延在している。したがって、中間部の内側のスペースに粉砕容器を納めて、その中間部と基部は同じ円筒の一部をなすので、スタンドをコンパクトにすることができる。
【００１４】
請求項１０は、回転軸が本体に結合された外筒体に軸受けされているハンドミキサーを保持するためのスタンドであって、保持部の正面に、中間部上端から一体に連なる後傾斜面が形成され、この後傾斜面にハンドミキサー本体を保持する保持凹部が設けられ、この保持凹部の下端にストッパーが設けられており、さらにストッパーの下方に外筒体保持凹部が設けられている。したがって、スタンドはハンドミキサーの本体を保持すると共にストッパーによってハンドミキサーを支持し、外筒体も外筒体保持凹部に内接するので、保持されたハンドミキサーが非常に安定するのである。請求項１１は、保持凹部がハンドミキサー本体の下半分の半周面に亘って当接する。したがって、本体の上半分はスタンドから突き出るので、ハンドミキサーの上半分を握ることによってスタンドから容易に取り外すことができるし、装着も容易である。
【００１５】
請求項１２は、保持部の横方向の幅が中間部の横方向の幅以下である構成である。したがって、保持部が中間部よりもはみ出さないのでスタンドを保持部も含めてコンパクトにすることができる。請求項１３は、本体における長さ方向に垂直な断面が楕円形等の非真円形であるハンドミキサーを保持するためのスタンドであって、本体を保持凹部に対して正規の位置関係で保持したときに、本体が保持凹部の内面と密接するようにその内面が形成されている。したがって例えば本体表面に設けられたスイッチが正面を向いたときが正規の位置である場合に、正規の位置でない状態でハンドミキサーを保持させたときに、本体の重量によって正規の位置に戻るように応力がはたらくので、自然に正規の位置に戻すことができる。
【００１６】
請求項１４は、基部の下側に台座を有し、スタンドが台座に対して回動可能に連結されている構成である。したがって、狭い所でスタンドの背部に収納されている粉砕容器などを取り出すときに、スタンドを持ち上げて位置を変えなくても、回転させることによって粉砕容器などが手前に来るので、容易に取り出すことができる。請求項１５は、その基部が円形であってその下端にフランジを有し、台座も円形であってフランジと同じ直径である。したがって、スタンド全体が円筒形であって張り出している部分がないのでコンパクトにすることができる。
【発明を実施するための最良の形態】
【００１７】
次に本発明を実施するための最良の形態について説明する。図1に示すようにハンドミキサー１の本体２は細長く形成され、モーターが内蔵されている。本体２の先端から外筒体３が延びており、モーターの駆動力を食品等の加工具４に伝えて回転させる回転軸がその外筒体３の中に挿通されている。本体２の上部はその両側面から背面にかけて細く絞られた形状に形成され、その部分が把持部５である。把持部５の正面には２つのスイッチ６，７が設けられている。スイッチ６，７を押さない状態ではモーターは回転しない。スイッチ６を押すと回転軸４が低速回転し、スイッチ７を押すと回転軸が高速回転するように構成されている。なお、図示しないが本体２の背面の上端からは電気コードが延びて１００Ｖの交流電気を使用することができる。図２に示すようにスタンド１０は半割りの円筒形であり、したがって図１に示すようにスタンド１０の背部（図の右側）に前記電気コードを垂らす余地があり邪魔にならない。外筒体３はパイプ状の金属で形成されており、その端部に金属で形成された円形傘状の保護キャップ８が設けられている。保護キャップ８の外周付近の下面には下向きの爪部９が３つ設けられている。
【００１８】
図２に示すようにスタンド１０は、ハンドミキサー１の保持構造を有する保持部１１と、その下方の中間部１２と、その下方の基部１３を含んでいる。図３に示すように基部１３は円形をなしており、附属品を収納するための収納部１４が設けられている。収納部１４の内面であって開放口よりもやや下方に、その内面の内周に沿って支持部１５が形成されている。この支持部１５は、図１に示すように収納部１４内に粉砕容器１６を挿入したときに、その粉砕容器１６を支持部１５で受けることによって収納部１４内に完全に収納せず、粉砕容器１６の下方に他の附属品を収納できる空間を確保するためのものである。粉砕容器１６は粉砕羽根を回転させて茶葉を粉末にするときなどに使用するものであって、粉砕羽根を回転させるために円形に形成された容器本体に蓋が被せてある。粉砕容器１６の底部が全体的に平面であるときは、前述した支持部１５の全長に亘って粉砕容器１６を支持する。粉砕容器１６の底部の周囲にいくつかの凹所を設け、支持部１５は連続したものでなくその凹所に合致するようないくつかの突起にしてもよい。この構成によれば粉砕容器１６の回転止めとなる。
【００１９】
中間部１２は半割りの筒状をなしており、基部の正面部１７と一体に形成されている。中間部１２は板状であるから中間部１２で囲まれたスペース１８が形成され、そのスペース１８を利用して前述した粉砕容器１６を収納部１４に収納することができる。収納された粉砕容器１６の周面の半分は露出するので、その周面をつかむことによって粉砕容器１６を収納部１４から容易に取り出すことができて便利である。
【００２０】
保持部１１は前記した中間部１２と一体に板状に形成されており、基本的な形状は中間部１２と同じように半割りの筒状であるが、正面はやや斜め上方を向く平らな傾斜面１９に形成され、その中央に保持凹部２０が形成されている。このように保持部１１と中間部１２と基部１３は同じ円筒を基礎とし、粉砕容器１６もこの円筒の内部に含まれるのでスタンド全体が一つの筒状に形成されコンパクトにすることができる。保持凹部２０は、図１に示すようにハンドミキサーの本体２の下半分の半周面に亘って当接する形状に形成され、本体２の周囲は円形でなく前後方向にやや長い楕円形であるから、保持凹部２０もそれに合った形状に形成されている。
【００２１】
図２に示すように保持凹部２０の下端にストッパー２１が設けられている。このストッパー２１は保持凹部２０からはみ出すように前面側に突き出ている。保持凹部２０に保持されたハンドミキサーの本体２の端部がこのストッパー２１に当たることにより、ハンドミキサー１が支持されてずり落ちることがない。また、ストッパー２１の上方部を囲むように壁状のフランジ２２，２２が設けられている。このフランジ２２，２２もストッパー２１と同様に保持凹部２０から前面側に突き出ているので、保持されているハンドミキサーの本体２の下端付近を外側から覆っている。したがって、フランジ２２，２２がない場合には、後傾状態で保持されているハンドミキサー１が正面側に倒れ込んで保持凹部２０から外れる虞があるが、フランジ２２，２２の係止作用によってハンドミキサー１が正面側に倒れ込むことがないので、ハンドミキサー１が保持凹部２０から外れることがない。
【００２２】
また、ストッパー２１よりも下方には外筒体保持凹部２３が設けられており、この外筒体保持凹部２３の上部両側には前面側に突き出た側壁２６，２６も形成されている。この側壁２６，２６によって外筒体３が左右にぶれることを防止できる。
【００２３】
基部１３の下側には円形の台座２４が取り付けられ、スタンド１０は台座２４に対して回動自在である。スタンド１０の安定性を増すために台座２４は基部１３よりも大きな円形である。そこでその台座２４を覆うための同じ直径の基部フランジ２５が基部１３の下端周囲に設けられている。
【図面の簡単な説明】
【００２４】
【図１】本発明の使用状態を示す側面図
【図２】本発明を前面側から見た斜視図
【図３】本発明を後側から見た斜視図
【図４】本発明の側面図
【符号の説明】
【００２５】
１  ハンドミキサー
２  本体
３  外筒体
４  加工具
５  把持部
６  スイッチ
７  スイッチ
８  保護キャップ
９  爪部
１０  スタンド
１１  保持部
１２  中間部
１３  基部
１４  収納部
１５  支持部
１６  粉砕容器
１７  基部の正面部
１８  スペース
１９  傾斜面
２０  保持凹部
２１  ストッパー
２２  フランジ
２３  外筒体保持凹部
２４  台座
２５  基部フランジ
２６  側壁
【図１】
2005052513.tif 000003
【図２】
2005052513.tif 000004
【図３】
2005052513.tif 000005
【図４】
2005052513.tif 000006